(57)【要約】【課題】端子金具の誘い込みを支障なく行えるようにする。【解決手段】コネクタは、コネクタハウジング１０と、コネクタハウジング１０の後部に開口して形成された収容凹部１２に挿入される一括ゴム栓２０と、一括ゴム栓２０に形成された複数の貫通孔２３を通してコネクタハウジング１０に後方から挿入される端子金具４０と、一括ゴム栓２０の後方に配置されて一括ゴム栓２０のコネクタハウジング１０からの抜け出しを規制する押さえ部材３０とを備える。一括ゴム栓２０の後面には貫通孔２３を取り囲む筒部２５が突出して形成されている。押さえ部材３０には、筒部２５が位置決めして挿入される通し孔３１が形成されている。筒部２５における貫通孔２３の開口部には、後方へ向けて拡開する挿入ガイド２６が形成されている。【選択図】図１
2011018523.tif 000002
【特許請求の範囲】
【請求項１】
複数のキャビティを有するコネクタハウジングと、前記コネクタハウジングの後部に開口して形成された収容凹部に挿入される一括ゴム栓と、前記一括ゴム栓に形成された複数の貫通孔を通して前記キャビティ内に後方から挿入される端子金具と、前記一括ゴム栓の後方に配置されて前記一括ゴム栓の前記コネクタハウジングからの抜け出しを規制する押さえ部材とを備え、
前記一括ゴム栓の後面には前記貫通孔を取り囲む筒部が突出して形成され、前記押さえ部材には、前記筒部が嵌合状態に挿入される通し孔が形成され、前記筒部の前記貫通孔には、後方へ向けて拡開する挿入ガイドが形成されていることを特徴とするコネクタ。
【請求項２】
前記押さえ部材の前記通し孔には、前記挿入ガイドとほぼ連続しつつ後方へ向けて拡開する押さえ部材側挿入ガイドが形成されていることを特徴とする請求項１記載のコネクタ。
【発明の詳細な説明】
【技術分野】
【０００１】
本発明は、コネクタに関する。
【背景技術】
【０００２】
特許文献１に記載のコネクタは、複数のキャビティを有するコネクタハウジングと、コネクタハウジングの後部に開口して形成された収容凹部に挿入される一括ゴム栓と、一括ゴム栓の形成された複数の貫通孔を通してキャビティ内に挿入される端子金具と、一括ゴム栓の後方に配置されて一括ゴム栓のコネクタハウジングからの抜け出しを規制する押さえ部材とを備えている。押さえ部材には、貫通孔と前後で連通する電線挿通孔が形成され、ここに端子金具に接続された電線が挿通される。一括ゴム栓における貫通孔の開口部には、後方へ向けて拡開するテーパ状のガイド面が形成されている。端子金具はガイド面による誘い込みによって貫通孔内へ円滑に挿入されるようになっている。
【先行技術文献】
【特許文献】
【０００３】
【特許文献１】特開２００８−２０４９６０号公報
【発明の概要】
【発明が解決しようとする課題】
【０００４】
ところで、コネクタが小型になると、一括ゴム栓の前後の厚みも小さくなるため、ガイド面の拡開角度が大きくなり、ひいては誘い込みの機能が低下するという事情がある。一方、誘い込みの機能を確保するべく、一括ゴム栓の前後の厚みを増すと、その分、押さえ部材の前後の厚みが小さくなるため、押さえ部材としての強度を保てないおそれがある。
【０００５】
本発明は上記のような事情に基づいて完成されたものであって、端子金具の誘い込みを支障なく行えるようにすることを目的とする。
【課題を解決するための手段】
【０００６】
上記の目的を達成するための手段として、請求項１の発明は、複数のキャビティを有するコネクタハウジングと、前記コネクタハウジングの後部に開口して形成された収容凹部に挿入される一括ゴム栓と、前記一括ゴム栓に形成された複数の貫通孔を通して前記キャビティ内に後方から挿入される端子金具と、前記一括ゴム栓の後方に配置されて前記一括ゴム栓の前記コネクタハウジングからの抜け出しを規制する押さえ部材とを備え、前記一括ゴム栓の後面には前記貫通孔を取り囲む筒部が突出して形成され、前記押さえ部材には、前記筒部が嵌合状態に挿入される通し孔が形成され、前記筒部の貫通孔には、後方へ向けて拡開する挿入ガイドが形成されているところに特徴を有する。
【０００７】
請求項２の発明は、請求項１に記載のものにおいて、前記押さえ部材の前記通し孔には、前記挿入ガイドとほぼ連続しつつ後方へ向けて拡開する押さえ部材側挿入ガイドが形成されているところに特徴を有する。
【発明の効果】
【０００８】
＜請求項１の発明＞
一括ゴム栓の前後の厚みが筒部の部分で増加することにより、筒部の貫通孔の前後長も増加する。このため、筒部の貫通孔に形成された挿入ガイドの拡開角度を設定する際の自由度が拡げられ、例えば、挿入ガイドの拡開角度を緩くすることで、貫通孔への端子金具の挿入力を低くすることができる。また、一括ゴム栓の前後の厚みが筒部の部分で増加するに過ぎないから、押さえ部材の前後の厚みが全体的に減少することはなく、押さえ部材が強度不足に陥るのを防止できる。したがって、端子金具の誘い込みを支障なく行える。
【０００９】
＜請求項２の発明＞
押さえ部材の通し孔には挿入ガイドとほぼ連続しつつ後方へ向けて拡開する押さえ部材側挿入ガイドが形成されているから、端子金具が押さえ部材側挿入ガイドから挿入ガイドを経て貫通孔の内部へと円滑に誘い込まれる。
【図面の簡単な説明】
【００１０】
【図１】本発明の実施形態１のコネクタの要部断面図である。
【図２】実施形態２のコネクタの要部拡大断面図である。
【発明を実施するための形態】
【００１１】
＜実施形態１＞
本発明の実施形態１を図１によって説明する。本実施形態のコネクタは、コネクタハウジング１０、一括ゴム栓２０、押さえ部材３０、及び端子金具４０を備えて構成される。
【００１２】
コネクタハウジング１０は合成樹脂製であって、その内部には前後方向に延びる複数のキャビティ１１が形成されている。コネクタハウジング１０の後面には一括ゴム栓２０及び押さえ部材３０を収容可能な収容凹部１２が開口して形成されている。
【００１３】
端子金具４０は導電金属板を曲げ加工等して一体に成形され、電線の端末にかしめ付けして接続されている。この端子金具４０はコネクタハウジング１０のキャビティ１１内に後方から挿入され、図示しないランスによってキャビティ１１内に抜け止め係止される。
【００１４】
一括ゴム栓２０はシリコンゴム等のゴム製であって、マット状のゴム栓本体２１を有している。ゴム栓本体２１の外周面には、複数条の外周リップ２２が周方向に形成されている。また、一括ゴム栓２０には、各キャビティ１１と対応する位置毎に、複数の貫通孔２３が形成されている。貫通孔２３の内周面には、複数条の内周リップ２４が周方向に形成されている。
【００１５】
ゴム栓本体２１の後面には、各貫通孔２３と対応する位置毎に、複数の筒部２５が突出して形成されている。各筒部２５は、貫通孔２３を取り囲む四角筒状をなしている。各筒部２５の貫通孔２３には、後方へ向けてテーパ状に拡開する挿入ガイド２６が形成されている。図示する挿入ガイド２６は筒部２５側の貫通孔２３とゴム栓本体２１側の貫通孔２３とに跨って形成されている。
【００１６】
押さえ部材３０は合成樹脂製であって、収容凹部１２に収容された状態でコネクタハウジング１０に係止され、これによって一括ゴム栓２０が収容凹部１２から抜け出るのを阻止する。押さえ部材３０には、各貫通孔２３と対応する位置毎に、複数の通し孔３１が形成されている。このため、組み付け状態では、通し孔３１、貫通孔２３、及びキャビティ１１が前後に連通して配置される。
【００１７】
通し孔３１には段差３２が形成され、段差３２を境とした前方の部分が後方の部分よりも大径とされている。通し孔３１における段差３２を境とした前方の部分には、筒部２５が嵌合状態で挿入される。また、通し孔３１における段差３２を境とした後方の部分には、後方へ向けてテーパ状に拡開する押さえ部材側挿入ガイド３３が形成されている。組み付け状態では、押さえ部材側挿入ガイド３３と挿入ガイド２６とがほぼ面一で連続して延びるようになっている。図示する場合、押さえ部材挿入ガイド３３及び挿入ガイド２６の拡開角度（前後軸に対する傾斜角）は互いに同じであって４５度以下に抑えられている。
【００１８】
次に、本実施形態のコネクタの組み付け方法について説明する。
コネクタハウジング１０の収容凹部１２に後方から一括ゴム栓２０を挿入する。すると、一括ゴム栓２０の外周リップ２２が収容凹部１２の内面に弾性的に密着し、これによって一括ゴム栓２０とコネクタハウジング１０との間が液密にシールされる。続いて、収容凹部１２に後方から押さえ部材３０を挿入する。すると、押さえ部材３０の前面と一括ゴム栓２０の後面とが密着し、押さえ部材３０の通し孔３１に前方から筒部２５が位置決め状態で嵌合する。
【００１９】
その状態で、後方から電線付きの端子金具４０を挿入する。すると、端子金具４０は、押さえ部材側挿入ガイド３３から挿入ガイド２６を経て一括ゴム栓２０の貫通孔２３の内部へと円滑に誘い込まれ、さらにコネクタハウジング１０のキャビティ１１内に挿入される。このとき、端子金具４０は、正規の挿入姿勢から傾いた姿勢をとっていても、押さえ部材側挿入ガイド３３及び挿入ガイド２６を摺動することで、正規の挿入姿勢に矯正される。キャビティ１１内に端子金具４０が正規挿入された状態では、押さえ部材３０の通し孔３１に電線が遊嵌されるとともに、一括ゴム栓２０の外周リップ２２が電線の外周面に弾性的に密着し、これによって一括ゴム栓２０と電線との間が液密にシールされる。
【００２０】
本実施形態によれば、一括ゴム栓２０の前後の厚みが筒部２５の部分で増加することにより、筒部２５の貫通孔２３の前後長も増加する構成とされるため、挿入ガイド２６の拡開角度を設定する際の自由度が拡げられ、例えば、挿入ガイド２６の拡開角度を緩くすることで、貫通孔２３への端子金具４０の挿入力を低くすることができる。また、一括ゴム栓２０の前後の厚みが筒部２５の部分で増加するに過ぎないから、押さえ部材３０の前後の厚みが全体的に減少することはなく、押さえ部材３０が強度不足に陥るのを防止できる。しかも、筒部２５が一括ゴム栓２０の通し孔３１に嵌合状態で挿入されることにより、筒部２５の変形が防止され、貫通孔２３への端子金具４０の挿入作業性が向上する。
【００２１】
また、押さえ部材３０の通し孔３１には挿入ガイド２６とほぼ連続しつつ後方へ向けて拡開する押さえ部材側挿入ガイド３３が形成されているから、端子金具４０が押さえ部材側挿入ガイド３３から挿入ガイド２６を経て貫通孔２３の内部へと円滑に誘い込まれる。
【００２２】
＜実施形態２＞
本発明の実施形態２を図２に示す。実施形態２では、押さえ部材３０の通し孔３１Ａの形状が実施形態１とは異なる。その他は、実施形態１と同様であり、実施形態１と同様の構成には同一符合を付し、重複する説明は省略する。
押さえ部材３０の通し孔３１Ａは、筒部２５の外径と同一又は僅かに大きい内径を有するストレート部３７と、ストレート部３７の後端から押さえ部材３０の後端にかけて外向きに拡開するテーパ部３８とからなる。したがって、テーパ部３８と挿入ガイド２６とはストレート部３７を介することによって不連続の形態とされている。
【００２３】
＜他の実施形態＞
本発明は上記記述及び図面によって説明した実施形態に限定されるものではなく、例えば次のような実施形態も本発明の技術的範囲に含まれる。
（１）筒部の後端が押さえ部材の後端と同位置又は押さえ部材の後端よりも後方へ突出した位置に配置されていてもよい。
（２）筒部側の貫通孔のみに挿入ガイドが形成されるものであってもよい。
【符号の説明】
【００２４】
１０…コネクタハウジング
１１…キャビティ
１２…収容凹部
２０…一括ゴム栓
２３…貫通孔
２５…筒部
２６…挿入ガイド
３０…押さえ部材
３１…通し孔
３３…押さえ部材挿入ガイド
４０…端子金具
【図１】
2011018523.tif 000003
【図２】
2011018523.tif 000004